(57)【要約】【課題】通話端末の全体を交換しなくても機能を変更することができる通話端末を提供する。【解決手段】通話端末Ａは、壁内に後部を収める形で壁に固定される本体モジュールＢと、本体モジュールＢの前面側に着脱可能に装着される露出パネルＣとを備える。露出パネルＣは、少なくとも音声の入出力を行う音声入出力部１８と、音声信号の入出力を行う信号処理部４２とを有し、それぞれ異なる複数種類の露出パネルＣの中から選択可能である。本体モジュールＢは、電源線が接続される電源端子部６と、信号線が接続される信号端子部７と、電源端子部６に接続され内部回路に直流電源を供給する電源部３９と、信号端子部７に接続される外部インタフェース部４０とを有することで、複数種類の露出パネルＣに共用される。【選択図】図１
2008178076.tif 000002
【特許請求の範囲】
【請求項１】
壁に取り付けられ相手側端末との間で通話が可能な通話端末であって、壁に固定される本体モジュールと、本体モジュールの前面側に着脱可能に装着される露出パネルとを備え、相手側端末との間で通話を可能とするための内部回路が、本体モジュール内の第１回路部と露出パネル内の第２回路部とに分割して設けられていることを特徴とする通話端末。
【請求項２】
前記露出パネルは、少なくとも音声の入出力を行う音声入出力部を有し、且つ音声信号の入出力を行う信号処理部を前記第２回路部に含み、それぞれ異なる複数種類の露出パネルの中から選択可能であって、前記本体モジュールは、電源線が接続される電源端子部と、信号線が接続される信号端子部とを有し、且つ電源端子部に接続され内部回路に直流電源を供給する電源部と、信号端子部に接続される外部インタフェース部とを前記第１回路部に含むことで、複数種類の露出パネルに共用されることを特徴とする請求項１記載の通話端末。
【請求項３】
前記本体モジュールは、壁内に後部を収める形で壁に固定される埋込モジュールからなることを特徴とする請求項１または請求項２に記載の通話端末。
【請求項４】
前記本体モジュールは、前面の周部に前面側から挿入される取付ねじを用いて壁に固定され、前記露出パネルは、前記取付ねじの前面側を覆うプレート部を一体に有することを特徴とする請求項１ないし請求項３のいずれか１項に記載の通話端末。
【請求項５】
前記本体モジュールおよび前記露出パネルのそれぞれには、互いに係合することで本体モジュールに露出パネルを装着する取付手段と、本体モジュールに露出パネルが装着されることで前記第１回路部と前記第２回路部とを互いに電気的に接続する接続手段とが設けられていることを特徴とする請求項１ないし請求項４のいずれか１項に記載の通話端末。
【請求項６】
前記本体モジュールは、前面が矩形状でそれぞれ前面の横方向の寸法が異なる複数種類の本体モジュールの中から選択可能であって、前記露出パネルは、前記取付手段および前記接続手段を所定の位置に有しており、各種の本体モジュールにおける取付手段および接続手段の位置は、複数種類の本体モジュールに露出パネルが装着可能となるように、露出パネルの取付手段および接続手段の位置に合わせて設定されていることを特徴とする請求項５記載の通話端末。
【請求項７】
前記露出パネルは、同一の前記取付手段および前記接続手段を複数組備えることを特徴とする請求項５記載の通話端末。
【発明の詳細な説明】
【技術分野】
【０００１】
本発明は、壁に取り付けられ相手側端末との間で通話が可能な通話端末に関するものである。
【背景技術】
【０００２】
従来から、この種の通話端末として、たとえば宅外に設置された相手側端末としての子機端末（ドアホン子機）に対して信号線を用いて接続されることによりインターホンシステムを構築し、相手側端末との間で通話可能となるもの（インターホン親機）などが提供されている。
【０００３】
また、近年では、壁面からの器体の突出量を小さく抑えために、壁内に器体の後部が埋め込まれた形で取り付けられる埋込型の通話端末も提案されている（たとえば特許文献１参照）。
【０００４】
特許文献１に記載の通話端末においては、他の埋込型の配線器具との外観上の統一感を出すとともに、取り付けに用いる部材の低コスト化を図るために、一般に普及している埋込型の配線器具用のスイッチボックスを用いて壁に取付可能としてある。すなわち、通話端末の器体の後部をスイッチボックス内に収める形で、スイッチボックスに設けたねじ孔に螺合する取付ねじを用いて通話端末をスイッチボックスに固定する。ここで、特許文献１の通話端末においては、取付ねじ用の取付孔が器体に設けられており、器体をスイッチボックスに直接固定できるから、埋込型の配線器具をスイッチボックスに固定するために用いられる取付枠が不要である。
【特許文献１】特開平６−２９１８１８号公報
【発明の開示】
【発明が解決しようとする課題】
【０００５】
ところで、上述した通話端末では、相手側端末との間で通話を可能とするための内部回路が全て１つの器体内に収納されており、そのため、通話端末の機能を一部でも変更する場合には、通話端末全体を交換する必要がある。特に、通話端末が後部を壁内に埋め込んだ形で取り付けられている場合には、通話端末全体の交換作業は面倒である。
【０００６】
本発明は上記事由に鑑みて為されたものであって、全体を交換しなくても機能を変更することができる通話端末を提供することを目的とする。
【課題を解決するための手段】
【０００７】
請求項１の発明は、壁に取り付けられ相手側端末との間で通話が可能な通話端末であって、壁に固定される本体モジュールと、本体モジュールの前面側に着脱可能に装着される露出パネルとを備え、相手側端末との間で通話を可能とするための内部回路が、本体モジュール内の第１回路部と露出パネル内の第２回路部とに分割して設けられていることを特徴とする。
【０００８】
この構成によれば、相手側端末との間で通話を可能とするための内部回路が、本体モジュール内の第１回路部と露出パネル内の第２回路部とに分割して設けられているので、本体モジュールと露出パネルとを別々に交換することができ、たとえば露出パネルの機能を変更する場合には、本体モジュールに装着する露出パネルを別の種類の露出パネルに交換するだけでよく、本体モジュール自体は交換する必要がない。したがって、通話端末全体を交換することなく、通話端末の機能を変更することができる。
【０００９】
請求項２の発明は、請求項１の発明において、前記露出パネルが、少なくとも音声の入出力を行う音声入出力部を有し、且つ音声信号の入出力を行う信号処理部を前記第２回路部に含み、それぞれ異なる複数種類の露出パネルの中から選択可能であって、前記本体モジュールが、電源線が接続される電源端子部と、信号線が接続される信号端子部とを有し、且つ電源端子部に接続され内部回路に直流電源を供給する電源部と、信号端子部に接続される外部インタフェース部とを前記第１回路部に含むことで、複数種類の露出パネルに共用されることを特徴とする。
【００１０】
この構成によれば、複数種類の露出パネルにおいて本体モジュールを共用することができるから、各種の露出パネルごとに本体モジュールを用意する必要はない。したがって、本体モジュールの開発、製造にかかるコストを低コストに抑えることができるという利点がある。しかも、音声処理に関する機能を露出パネルに集約しているので、露出パネルを別の種類の露出パネルに交換するだけで、通話端末における音声処理に関する機能を変更することができる。また、音声処理に関する機能を露出パネルに集約したことで、露出パネルと本体モジュールとの間の電気的接続を行う接続線数を比較的少なく抑えることができる。
【００１１】
請求項３の発明は、請求項１または請求項２の発明において、前記本体モジュールが、壁内に後部を収める形で壁に固定される埋込モジュールからなることを特徴とする。
【００１２】
この構成によれば、本体モジュールの後部が壁内に収まるので、壁内に埋め込まれることなく壁面に背面を対向させる形で本体モジュールを固定する場合に比べて、本体モジュールおよび露出パネルの壁面からの突出量を小さく抑えることができる。したがって、たとえば壁面の前方に確保されている空間が比較的狭い廊下等に通話端末が設置される場合でも、通話端末が通行の邪魔になりにくいという利点がある。
【００１３】
請求項４の発明は、請求項１ないし請求項３のいずれかの発明において、前記本体モジュールが、前面の周部に前面側から挿入される取付ねじを用いて壁に固定され、前記露出パネルが、前記取付ねじの前面側を覆うプレート部を一体に有することを特徴とする。
【００１４】
この構成によれば、本体モジュールを壁に固定するための取付ねじをプレート部で覆い隠すことができるので、取付ねじを露出させる場合に比べて通話装置の外観がよくなる。また、プレート部は露出パネルに一体に形成されているので、取付ねじを覆い隠すために別部材を取り付ける場合に比べると、部品点数を少なく抑えることができ通話端末の設置の作業性が向上する。
【００１５】
請求項５の発明は、請求項１ないし請求項４のいずれかの発明において、前記本体モジュールおよび前記露出パネルのそれぞれには、互いに係合することで本体モジュールに露出パネルを装着する取付手段と、本体モジュールに露出パネルが装着されることで前記第１回路部と前記第２回路部とを互いに電気的に接続する接続手段とが設けられていることを特徴とする。
【００１６】
この構成によれば、取付手段を互いに係合させることにより、本体モジュールに露出パネルを装着することができるとともに、第１回路部と第２回路部とを接続手段で電気的に接続することができるので、本体モジュールに露出パネルを装着する作業と第１回路部および第２回路部の接続作業とを別々に行う場合に比べて、作業性が向上する。
【００１７】
請求項６の発明は、請求項５の発明において、前記本体モジュールが、前面が矩形状でそれぞれ前面の横方向の寸法が異なる複数種類の本体モジュールの中から選択可能であって、前記露出パネルが、前記取付手段および前記接続手段を所定の位置に有しており、各種の本体モジュールにおける取付手段および接続手段の位置が、複数種類の本体モジュールに露出パネルが装着可能となるように、露出パネルの取付手段および接続手段の位置に合わせて設定されていることを特徴とする。
【００１８】
この構成によれば、露出パネルがそれぞれ前面の横方向の寸法が異なる複数種類の本体モジュールに装着可能であるから、各種の本体モジュールごとに専用の露出パネルを用意する必要はなく、したがって、露出パネルの開発、製造にかかるコストを低コストに抑えることができるという利点がある。
【００１９】
請求項７の発明は、請求項５の発明において、前記露出パネルが、同一の前記取付手段および前記接続手段を複数組備えることを特徴とする。
【００２０】
この構成によれば、本体モジュールに露出パネルを装着するときに、露出パネルの複数組の取付手段および接続手段のうち使用する取付手段および接続手段を変更することにより、本体モジュールに対する露出パネルの位置を調節することができる。したがって、たとえば本体モジュールの周囲の壁面に突出物がある場合に、この突出物を避けた位置に露出パネルを配置することなどが可能になる。
【発明の効果】
【００２１】
本発明は、相手側端末との間で通話を可能とするための内部回路が、本体モジュール内の第１回路部と露出パネル内の第２回路部とに分割して設けられているので、本体モジュールと露出パネルとを別々に交換することができ、したがって、通話端末全体を交換することなく、通話端末の機能を変更することができるという効果がある。
【発明を実施するための最良の形態】
【００２２】
以下の各実施形態では、宅内の壁に取り付けられ、宅外に設置された相手側端末としての子機端末（図示せず）に対して信号線（図示せず）を用いて接続されることによりインターホンシステムを構築し、子機端末との間で通話可能となる親機端末を通話端末の一例として、本発明の通話端末の構成を説明する。この通話端末は映像表示部を備えており、来訪者を撮像するカメラ（図示せず）が設けられた相手側端末に接続されることにより、相手側端末のカメラで撮像された映像を表示することができる。なお、子機端末は、カメラの他、操作入力が可能な操作部と、スピーカおよびマイクロフォンを具備し通話端末との通話時に音声の入出力を行う音声入出力部と、音声信号や映像信号の入出力を行う信号処理部と、信号線が接続される端子部とを有している。
【００２３】
（実施形態１）
本実施形態の通話端末Ａは、図２に示すように、壁内に後部を収める形で壁に固定される本体モジュールＢと、本体モジュールＢの前面側に着脱可能に装着される露出パネルＣとを備えている。以下では、通話端末Ａを壁に取り付けた状態での上下左右を上下左右として通話端末Ａの構成を説明する。
【００２４】
本体モジュールＢは、図３に示すように、前面に矩形状の開口部を有する箱状に形成されたボディ１と、ボディ１の前面に覆着されるカバー２とで構成される器体３を備え、回路基板に種々の電気部品が実装されてなる第１回路部４が器体３内に収納された構成を有する。さらに、本体モジュールＢは、ボディ１の後壁の２箇所に端子窓５が貫設されており、商用電源供給用の電源線（図示せず）が接続される電源端子部６（図１参照）を一方の端子窓５から器体３の外部に露出させるように備え、信号線（図示せず）が接続される信号端子部７を他方の端子窓（図示せず）から器体３の外部に露出させるように備えている。ボディ１とカバー２とは、カバー２の上下方向の各端部から後方に突出した結合片８に設けた結合孔８ａに、ボディ１の上下方向の両端面における前端部に設けた結合爪９をそれぞれ係合させることにより結合される。
【００２５】
露出パネルＣは、前面が矩形状の薄箱状に形成されたパネルケース１０を備え、種々の電気部品が実装されてなる第２回路部（図示せず）がパネルケース１０内に収納された構成を有する。さらに、露出パネルＣは、パネルケース１０の前壁の一部に透明な表示窓１１が配設されており、液晶パネルからなる映像表示部１２を表示窓１１を通して視認できるようにパネルケース１０内に備えている。ここで、パネルケース１０は、前面の左寄りの位置に表示窓１１を有しており、表示窓１１の右方には小孔が多数形成されたスピーカ取付部１３が配設されるとともに、スピーカ取付部１３の下方に操作部１４（図１参照）を構成する操作ハンドル１５が配設されている。さらに、表示窓１１の左下方にはマイク用孔１６が形成され、マイク用孔１６の右方つまり表示窓１１の下方には操作部１４を構成する押釦１７が左右方向に複数個列設されている。パネルケース１０内において、スピーカ取付部１３に対応する位置にはスピーカ１８ａ（図１参照）が設けられ、マイク用孔１６に対応する位置にはマイクロフォン１８ｂ（図１参照）が設けられ、スピーカ１８ａおよびマイクロフォン１８ｂは、相手側端末との通話時に音声の入出力を行う音声入出力部１８を構成する。なお、パネルケース１０内において各操作ハンドル１５および各押釦１７に対応する位置には、それぞれ各操作ハンドル１５および各押釦１７と共に操作部１４を構成する各種設定用のスイッチ（図示せず）や通話の開始・終了用のスイッチ（図示せず）などが設けられる。
【００２６】
ところで、本実施形態の本体モジュールＢは、図４に示すように、壁内に設置された埋込型の配線器具用のスイッチボックスＳＢを用いて壁に取り付けられる。スイッチボックスＳＢは、前面に取付窓が開口した箱状に形成されており、上下方向に対向する一対の内側面には、それぞれ本体モジュールＢをスイッチボックスＳＢに固定する取付ねじ２０（図８参照）用のねじ孔２１を有した器具固定突起２２が複数個ずつ突設されている。ここで、器具固定突起２２はスイッチボックスＳＢの取付窓からねじ孔２１が前方に露出するように、スイッチボックスＳＢの取付窓内に設けられる。壁面を構成する壁材ＷにおいてスイッチボックスＳＢに対応する部分には矩形状の施工孔２３が開設される。施工孔２３は、スイッチボックスＳＢの取付窓より小さく、且つ器具固定突起２２に設けたねじ孔２１を全て露出させる大きさに形成される。
【００２７】
本体モジュールＢは、この施工孔２３を通して前方からスイッチボックスＳＢに取り付けられるのであって、器体３の後部をスイッチボックスＳＢ内に収納可能な形状および寸法に形成されている。また、本実施形態では、器体３は１連用の取付枠（図示せず）を２個まで取付可能なスイッチボックスＳＢに対応する大きさに形成されている。ここでいう１連用の取付枠とは、「ＪＩＳ  Ｃ８３７５」で規格化されている３個用の取付枠を意味しており、以下では、１連用の取付枠が左右方向に２個連接された寸法を「２連用」、３個連接された寸法を「３連用」と呼ぶ。すなわち、本実施形態の本体モジュールＢは、上下方向に対向する一対の内側面にそれぞれ器具固定突起２２が２個ずつ設けられた２連用のスイッチボックスＳＢに取付可能な寸法に設定される。
【００２８】
具体的に説明すると、カバー２は、前面側における上下方向の各端縁のそれぞれから互いに離れる向きに延設された一対の取付板２４を連続一体に有する。一対の取付板２４は、カバー２の左右方向の略全長にわたって形成される。各取付板２４には、埋込型の配線器具をスイッチボックスＳＢに固定する際に用いられる取付枠と同様に、取付ねじ２０を挿通するボックス用孔２５がそれぞれ複数個（ここでは２個）ずつ形成され、かつ上下方向においてボックス用孔２５より外側（つまり上側の取付板２４においては上方、下側の取付板２４においては下方）の部位には、後述する化粧プレートＰを固定する固定ねじ（図示せず）用のプレート用孔２６が複数個（ここでは２個）ずつ形成されている。なお、各取付板２４はカバー２に比較して前方に突出している。さらに、各取付板２４のうち各ボックス用孔２５の周囲は取付板２４における他の部位よりも厚肉に形成されており、取付ねじ２０を締め付けた際の器体３の変形を抑制するようにボックス用孔２５の周囲を補強している。
【００２９】
ここにおいて、本体モジュールＢと露出パネルＣとのそれぞれには、互いに係合することで本体モジュールＢに露出パネルＣを装着する取付手段が設けられている。本体モジュールＢにおいては、図３のように、下側の取付板２４の前面から突出した鉤片２７と、上側の取付板２４に設けた係合孔２８とが取付手段として設けられている。鉤片２７は、取付板２４の前面から前方に突出し、先端部が上方に延長されることによりＬ字状に形成されており、左右方向に複数個（ここでは３個）並設される形に設けられている。係合孔２８は、取付板２４における左右方向の各端部を切り欠くことで形成されている。
【００３０】
露出パネルＣにおいては、背面側の下端部であって各鉤片２７に対応する位置にそれぞれ形成され鉤片２７の先端部が挿入されることで鉤片２７に引っ掛かる引掛穴２９と、背面側の上端部であって各係合孔２８に対応する位置にそれぞれ突設され先端部が互いに近づく向きに延長されることによりＬ字状に形成された一対の係合爪１９（図１１参照）とが取付手段として設けられている。この構成により、本体モジュールＢの鉤片２７の先端部を露出パネルＣの引掛穴２９に挿入した状態で、露出パネルＣの上端部を本体モジュールＢ側に押し付けて露出パネルＣの係合爪１９を本体モジュールＢの係合孔２８に係合させれば、露出パネルＣが本体モジュールＢに装着されることとなる。
【００３１】
一方、通話端末ＡをスイッチボックスＳＢに取り付けただけの状態では、施工孔２３内において通話端末Ａと壁材Ｗとの間に隙間が生じることになる。そこで、埋込型の配線器具用の化粧プレートＰが通話端末Ａに取り付けられる。化粧プレートＰは、図４に示すように、露出パネルＣの周囲を包囲する枠状のプレート枠３０、およびプレート枠３０の前面側に取着される化粧カバー３１とで構成される。プレート枠３０は取付板２４に設けたプレート用孔２６に固定ねじを螺合させることにより固定され、化粧カバー３１は背面に突設された係止爪（図示せず）をプレート枠３０に設けられた係止穴（図示せず）に係止させることによりプレート枠３０に取り付けられる。これにより、施工孔２３は通話端末Ａおよび化粧プレートＰによって塞がれることになる。ここでは３連用の化粧プレートＰを用いている。なお、本実施形態では、壁面からの露出パネルＣの前面の突出高さを壁面からの化粧プレートＰの突出高さに揃えるように、壁面からの通話端末Ａの突出量を設定している。
【００３２】
また、露出パネルＣは前面が３連用のスイッチボックスＳＢに取付可能な配線器具と同等の大きさに形成されている。露出パネルＣは、パネルケース１０の上下方向の各端部が、それぞれ背面側を凹ませることで他部よりも前後方向に薄く形成されたプレート部３２（図１１参照）を構成している。各プレート部３２は、パネルケース１０の左右方向の略全長にわたって形成され、本体モジュールＢに露出パネルＣを装着した状態で本体モジュールＢの取付板２４に突き合わされる。したがって、本体モジュールＢに露出パネルＣを装着した状態では、プレート部３２が取付ねじ２０の前面側を覆うことになる。ただし、プレート用孔２６については本体モジュールＢに露出パネルＣを装着した状態でも前方に露出するように、露出パネルＣは本体モジュールＢの前面に比較して上下方向の寸法が小さく設定されている。ここに、プレート部３２の背面側における各ボックス用孔２５と対向する位置には、各ボックス用孔２５の形状に合わせて凹所３３（図１１参照）がそれぞれ形成される。
【００３３】
なお、通話端末Ａが、本実施形態の本体モジュールＢおよび露出パネルＣのように分割可能でない場合において、取付ねじ２０を露出させないためには、たとえば図５に示すように、器体３の前面における取付ねじ２０が露出する部位に取着されるねじ隠しプレート３４を設ける構成、あるいは図６に示すように、専用の取付金具３５を取付ねじ２０でスイッチボックスＳＢに固定した後、プレート枠３０が器体３と一体に形成された通話端末Ａを取付金具３５に対して固定ねじで固定し、プレート枠３０に化粧カバー３１を取着する構成を採用することが考えられる。ただし、これらの構成では、取付ねじ２０を覆い隠すための別部材（ねじ隠しプレート３４）あるいは専用の取付金具３５を用いる必要があるので、これらの構成に比べて、本実施形態では部品点数を少なく抑えることができ通話端末Ａの設置の作業性が向上するという利点がある。
【００３４】
ところで、通話端末Ａにおいて相手側端末との間で通話を可能とするための内部回路は、本体モジュールＢ内の上記第１回路部４と露出パネルＣ内の上記第２回路部とに分割して設けられている。
【００３５】
すなわち、本体モジュールＢ内の第１回路部４は、図３のように前後方向に対向する電源基板３６とインタフェース基板３７と、電源基板３６とインタフェース基板３７とを接続するベース基板３８との３枚の回路基板を備えている。電源基板３６はインタフェース基板３７の後方に配置され、ベース基板３８は電源基板３６およびインタフェース基板３７の下方に配置される。電源基板３６には、図１に示すように電源スイッチＳＷを介して電源端子部６に接続され、内部回路に直流電源を供給する電源部３９（ＡＣ／ＤＣ電源部３９ａおよびＤＣ／ＤＣ電源部３９ｂ）が設けられ、インタフェース基板３７には、図１に示すように信号端子部７に接続され少なくとも信号線の回線電圧に基づいて相手側端末からの呼出を検出する呼出検出機能を有した外部インタフェース部４０が設けられている。ここに、電源端子部６に電源線が接続されている状態では、電源スイッチＳＷのオン時に内部回路に給電され、電源スイッチＳＷのオフ時に内部回路への給電が停止する。電源スイッチＳＷは、電源基板３６に実装されており、インタフェース基板３７に貫設された挿通孔（図示せず）およびカバー２に貫設されたスイッチ用孔４１を通して、本体モジュールＢの前面側に露出する。
【００３６】
一方、露出パネルＣ内の第２回路部には、図１に示すように音声入出力部１８および映像表示部１２と外部インタフェース部４０とに接続され、音声信号や映像信号の入出力を行う信号処理部４２と、操作部１４からの操作入力を受け付けて内部回路の各部の動作を制御する全体制御部４３とを備えている。信号処理部４２においては、スピーカ１８ａへの音声信号を増幅するスピーカアンプおよびマイクロフォン１８ｂからの音声信号を増幅するマイクアンプを有した音声処理部４４と、相手側端末からの映像信号を復調する復調回路を有し映像表示部１２に映像を表示する映像伝送処理部４５とが設けられている。なお、本実施形態では、信号線に音声信号と映像信号とが多重化されて伝送されている。そのため、信号処理部４２には、音声処理部４４および映像伝送処理部４５と外部インタフェース部４０との間に挿入され、多重化された音声信号と映像信号とを分離する多重分離部４２ａが設けられている。
【００３７】
第１回路部４と第２回路部とは、本体モジュールＢの前面側に設けられた接続手段としてのモジュール側接触端子４６と、露出パネルＣの背面側に設けられた接続手段としてのパネル側接触端子４７とを接触させることにより互いに電気的に接続される。モジュール側接触端子４６は、図３のように本体モジュールＢ内のベース基板３８に配設されており、カバー２に設けた接触端子孔４８を通して本体モジュールＢの前面側に露出する。モジュール側接触端子４６およびパネル側接触端子４７は本体モジュールＢに露出パネルＣを装着した状態で互いに突き合わされる位置に配設されており、本体モジュールＢに露出パネルＣを装着するだけでモジュール側接触端子４６およびパネル側接触端子４７が互いに接触することにより第１回路部４と第２回路部との電気的接続が完了する。したがって、本体モジュールＢに露出パネルＣを装着する作業と第１回路部４および第２回路部の接続作業とを別々に行う場合に比べて、作業性が向上する。
【００３８】
ところで、本実施形態の通話端末Ａは、露出パネルＣがそれぞれ異なる複数種類の露出パネルＣの中から択一的に選択可能であって、本体モジュールＢがこれら複数種類の露出パネルＣに共用される。具体的に説明すると、露出パネルＣには、音声入出力部１８や映像表示部１２や信号処理部４２や操作部１４や全体制御部４３のように、通話端末Ａの機能に応じて適宜変更される構成が集約され、一方、本体モジュールＢには、電源端子部６や電源部３９や信号端子部７や外部インタフェース部４０のように、通話端末Ａの機能によらず共通する構成が集約されている。さらに、複数種類の露出パネルＣにおいて、取付手段としての引掛穴２９および係合爪１９の構成と、接続手段としてのパネル側接触端子４７の構成との両方を共通の仕様としてある。
【００３９】
複数種類の露出パネルＣの例としては、たとえば、図７に示すように上述した構成の露出パネルＣ１に対して、映像を録画・再生する機能を追加した露出パネルＣ２や、映像表示部１２の画面サイズを大きくあるいは小さくした露出パネルＣ３などがある。すなわち、共通の本体モジュールＢに対して複数種類の露出パネルＣ１〜Ｃ３を択一的に選択して装着することによって、それぞれ機能の異なる複数種類の通話端末Ａ１〜Ａ３を実現することができる。
【００４０】
この構成によれば、複数種類の露出パネルＣにおいて本体モジュールＢを共用することができるから、本体モジュールＢに装着する露出パネルＣを別の種類の露出パネルＣに交換するだけで、通話端末Ａにおける録画・再生機能の有無や画面サイズなどを容易に変更することができ、通話端末Ａ全体を交換する必要はない。ここで、露出パネルＣは本体モジュールＢに着脱可能に装着されているので露出パネルＣの交換は容易に行うことができる。また、各種の露出パネルＣごとに個別に本体モジュールＢを用意する必要がないので、多様な機能の通話端末Ａを提供しながらも、本体モジュールＢの開発、製造にかかるコストを低コストに抑えることができる。しかも、本実施形態では音声処理や映像処理に関する機能を露出パネルＣに集約しているので、露出パネルＣと本体モジュールＢとの間の電気的接続を行う接続線数（つまり、モジュール側接触端子４６およびパネル側接触端子４７の各端子数）を比較的少なく抑えることができるという利点もある。
【００４１】
次に、上述した通話端末Ａを壁に取り付ける手順について図４を参照して説明する。まず本体モジュールＢに電源線および信号線を挿入接続したうえで、スイッチボックスＳＢに対して本体モジュールＢを取付ねじ２０で固定する。それから、プレート枠３０を固定ねじで本体モジュールＢに取り付け、その後、露出パネルＣを本体モジュールＢに装着する。そして、化粧カバー３１をプレート枠３０に装着すれば、取付作業は完了する。なお、この取付作業は、本体モジュールＢがスイッチ本体に相当し露出パネルＣがスイッチハンドルに相当すると考えれば、埋込型の壁スイッチの取付作業に類似するから、この通話端末Ａは壁スイッチと同様、比較的簡単に取り付けられる。
【００４２】
なお、図４の例では、露出パネルＣの上端縁から上方に突出する規制片４９を設け、化粧カバー３１を規制片４９に重ねて装着することにより、化粧カバー３１をプレート枠３０から外さなければ露出パネルＣを本体モジュールＢから脱着できない構造としているが、図８に示すように、規制片４９を省略することにより、プレート枠３０および化粧カバー３１を取り付けた状態で露出パネルＣの着脱が可能な構造を採用してもよい。
【００４３】
上述した構成の通話端末Ａを相手側端末と共に用いることにより構築されるインターホンシステムの動作について、以下に簡単に説明する。
【００４４】
通話端末Ａは、来訪者により相手側端末からの呼び出しがあった場合に、相手側端末からの呼出音をスピーカ１８ａで出力するとともに相手側端末のカメラで撮像された映像を映像表示部１２に表示する。そして、通話用の操作ハンドル１５を押操作すると通話端末Ａにおいて相手側端末との通話が可能な状態になる。通話用の操作ハンドル１５を再度押操作すれば相手側端末との通話を終了する。
【００４５】
なお、本実施形態では、通話端末Ａを壁に取り付けるために、スイッチボックスＳＢを用いる例を示したが、この構成に限るものではなく、スイッチボックスＳＢ以外の専用部材（たとえば埋込型の配線器具用の取付時に用いられる挟み金具）を用いて通話端末Ａを壁に取り付けるようにしてもよい。
【００４６】
また、本実施形態では取付手段として、本体モジュールＢに鉤片２７および係合孔２８を設け、露出パネルＣに引掛穴２９および係合爪１９を設ける例を示したが、この構成は一例に過ぎず、互いに係合することで本体モジュールＢに露出パネルＣを装着する取付手段が本体モジュールＢと露出パネルＣとのそれぞれに設けられていればよく、たとえば本体モジュールＢに引掛穴および係合爪を設け、露出パネルＣに鉤片および係合孔を設けてもよい。
【００４７】
（実施形態２）
本実施形態の通話端末Ａは、図９に示すように、本体モジュールＢが左右方向（横方向）の寸法が異なる複数種類の本体モジュールＢ１〜Ｂ３の中から選択可能である点が実施形態１の通話端末Ａと相違する。
【００４８】
本実施形態では、露出パネルＣは取付手段としての引掛穴２９および係合爪１９と、接続手段としてのパネル側接触端子４７とを、いずれも左右方向の中央部に有している。一方、各種の本体モジュールＢ１〜Ｂ３における取付手段としての鉤片２７および係合孔２８と、接続手段としてのモジュール側接触端子４６との位置は、露出パネルＣの引掛穴２９および係合爪１９とパネル側接触端子４７との位置に合わせて設定されている。
【００４９】
これにより、図９に示すように、共通の露出パネルＣをそれぞれ左右方向の寸法が異なる複数種類の本体モジュールＢ１〜Ｂ３に装着可能になるから、各種の本体モジュールＢ１〜Ｂ３ごとに各別の露出パネルＣを用意する必要はなく、したがって、露出パネルＣの開発、製造にかかるコストを低コストに抑えることができるという利点がある。なお、図９（ａ）〜（ｃ）にはそれぞれ１連用、２連用、３連用のスイッチボックスＳＢに取付可能な寸法に設定された各本体モジュールＢ１〜Ｂ３に、同一の露出パネルＣを装着した例を示す。
【００５０】
その他の構成および機能は実施形態１と同様である。
【００５１】
（実施形態３）
本実施形態の通話端末Ａは、図１０に示すように、露出パネルＣが、同一の取付手段としての引掛穴２９および係合爪１９と、接続手段としてのパネル側接触端子４７とを複数組備える点が実施形態１の通話端末Ａと相違する。ここで、本体モジュールＢにおいては、取付手段としての鉤片２７および係合孔２８と、接続手段としてのモジュール側接触端子４６との位置は、露出パネルＣの各取付手段（引掛穴２９および係合爪１９）と各接続手段（パネル側接触端子４７）との位置に合わせて設定されている。
【００５２】
ここにおいて、本実施形態の露出パネルＣは、実施形態１と同様に前面が３連用のスイッチボックスＳＢに取付可能な配線器具と同等の大きさに形成されており、取付手段（引掛穴２９および係合爪１９）と各接続手段（パネル側接触端子４７）との組が、図１１に示すように、左右方向に３組並設されている。したがって、たとえば２連用のスイッチボックスＳＢに取付可能な寸法の本体モジュールＢに露出パネルＣを装着する場合には、図１０（ａ）に示すように、露出パネルＣの左端縁と本体モジュールＢの左端縁とを揃える形で露出パネルＣの左端寄りに本体モジュールＢが配置される装着状態と、図１０（ｂ）に示すように、露出パネルＣの右端縁と本体モジュールＢの右端縁とを揃える形で露出パネルＣの右端寄りに本体モジュールＢが配置される装着状態との２種類の装着状態から、所望の装着状態を選択することができる。
【００５３】
すなわち、本実施形態の構成によれば、本体モジュールＢに露出パネルＣを装着するときに、露出パネルＣの複数組の取付手段および接続手段のうち使用する取付手段および接続手段を変更することにより、本体モジュールＢに対する露出パネルＣの位置を調節することができる。そのため、たとえば本体モジュールＢの周囲の壁面に突出物がある場合に、この突出物を避けた位置に露出パネルＣを配置することなどが可能になる。
【００５４】
また、１連用のスイッチボックスＳＢに取付可能な寸法の本体モジュールＢに露出パネルＣを装着する場合には、図１０（ｃ）に示すように、露出パネルＣにおける左右方向の中央部に本体モジュールＢが配置される装着状態と、露出パネルＣの左端寄りに本体モジュールＢが配置される装着状態と、露出パネルＣの右端寄りに本体モジュールＢが配置される装着状態との３種類の装着状態から、所望の装着状態を選択することができる。
【００５５】
その他の構成および機能は実施形態１と同様である。
【００５６】
（実施形態４）
本実施形態の通話端末Ａは、図１２に示すように、壁内に埋め込まれることなく壁面に背面を対向させる形で壁に固定される露出型の本体モジュールＢを備えた点が実施形態１ないし実施形態３のいずれかに記載の通話端末Ａと相違する。
【００５７】
すなわち、実施形態１〜３においては壁内に後部を収める形で壁に固定される埋込モジュールからなる本体モジュールＢを採用した通話端末Ａについて説明したが、本実施形態の通話端末Ａは、壁内に埋め込まれることなく壁に取り付けられる露出型の本体モジュールＢを採用している。
【００５８】
図１２の例では、本体モジュールＢが前面を露出パネルＣより小さい矩形状とし且つ露出パネルＣより薄型の薄箱状に形成された器体３を備えるとともに、露出パネルＣの背面側には本体モジュールＢの器体３の外形に合わせて形成された収容凹部５０が開口しており、露出パネルＣの収容凹部５０に本体モジュールＢの器体３を嵌め込むことにより露出パネルＣが本体モジュールＢに装着される。ここで、収容凹部５０の底面には接続手段となるパネル側接触端子４７が配置され、且つ本体モジュールＢの前面においてパネル側接触端子４７と対向する部位には接続手段となるモジュール側接触端子４６が配置されており、本体モジュールＢに露出パネルＣを装着するだけでモジュール側接触端子４６およびパネル側接触端子４７が互いに接触することにより第１回路部４と第２回路部との電気的接続が完了する。また、収容凹部５０の底面を除く内側面には、本体モジュールＢの外周面に形成された取付手段としての取着爪（図示せず）が係合する取着穴（図示せず）が取付手段として形成される。なお、図示例の収容凹部５０は下方に開放されている。
【００５９】
以上説明した構成によれば、たとえば壁の材質や壁内に存在する柱の配置などに起因した制約を受けることにより埋込型の本体モジュールＢを設置できないような場所でも、本実施形態の露出型の本体モジュールＢであれば設置可能となる場合があり、結果的に、通話端末Ａの配置の自由度が向上するという利点がある。
【００６０】
その他の構成および機能は実施形態１ないし実施形態３のいずれかに記載の通話端末Ａと同様である。
【００６１】
なお、上述した各実施形態では、本発明の通話端末Ａの一例として、相手側端末のカメラで撮影された映像を表示する機能を有した通話端末Ａを例示したが、本発明の通話端末Ａに映像を表示する機能は必須ではなく、単に相手側端末との間で通話が可能な通話端末Ａであればよい。また、本発明を適用する通話端末Ａは、上述した各実施形態のように子機端末と共にインターホンシステムを構築するものに限らず、たとえば公衆回線を介して相手側通話端末と通話が可能な電話などであってもよい。
【図面の簡単な説明】
【００６２】
【図１】本発明の実施形態１の構成を示すブロック図である。
【図２】同上の取付状態を示す概略図である。
【図３】同上の分解斜視図である。
【図４】同上の取付例を示す分解斜視図である。
【図５】同上の他の構成を示し、（ａ）は分解斜視図、（ｂ）は取付状態の斜視図である。
【図６】同上のさらに他の構成を示し、（ａ）は分解斜視図、（ｂ）は取付状態の斜視図である。
【図７】同上の露出パネルと本体モジュールの組み合わせ例を示す概略図である。
【図８】同上の構成を示し、（ａ）は露出パネルを外した状態の斜視図、（ｂ）は取付状態の斜視図である。
【図９】本発明の実施形態２の構成を示す概略図である。
【図１０】本発明の実施形態３の構成を示す概略図である。
【図１１】同上の露出パネルを示す斜視図である。
【図１２】本発明の実施形態４の構成を示し、（ａ）は前面側から見た斜視図、（ｂ）は背面側から見た斜視図である。
【符号の説明】
【００６３】
４  第１回路部
６  電源端子部
７  信号端子部
１８  音声入出力部
１９  係合爪（取付手段）
２０  取付ねじ
２７  鉤片（取付手段）
２８  係合孔（取付手段）
２９  引掛穴（取付手段）
３２  プレート部
３９  電源部
４０  外部インタフェース部
４２  信号処理部
４６  モジュール側接触端子（接続手段）
４７  パネル側接触端子（接続手段）
Ａ  通話端末
Ｂ  本体モジュール
Ｃ  露出パネル
【図１】
2008178076.tif 000003
【図２】
2008178076.tif 000004
【図３】
2008178076.tif 000005
【図４】
2008178076.tif 000006
【図５】
2008178076.tif 000007
【図６】
2008178076.tif 000008
【図７】
2008178076.tif 000009
【図８】
2008178076.tif 000010
【図９】
2008178076.tif 000011
【図１０】
2008178076.tif 000012
【図１１】
2008178076.tif 000013
【図１２】
2008178076.tif 000014